Podtech/llm-jp-corpus-v4-ja_patent huggingface dataset:
【手続補正書】
【提出日】平成22年9月8日(2010.9.8)
【手続補正１】
【補正対象書類名】特許請求の範囲
【補正対象項目名】全文
【補正方法】変更
【補正の内容】
【特許請求の範囲】
【請求項１】
被検体内部の被検部位の吸収特性と散乱特性のうち少なくとも一方を音響光学トモグラフィを利用して測定する測定装置において、
前記被検部位から検出位置までの光の伝播経路上に前記被検部位とは別に設定された被測定領域の光強度を測定する測定部と、
前記測定部が測定した前記被検体の表層に最も近い最外周領域にある被測定領域の光強度を利用して、前記光の伝播経路上にある前記被測定領域及び前記被検部位の吸収特性と散乱特性のうち少なくとも一方を前記光検出器から前記被検部位に向かって順次修正する信号処理装置と、を有することを特徴とする測定装置。
【請求項２】
前記被検体への光入射位置と前記光検出器の検出位置は、前記光入射位置から入射された前記光が前記被測定領域又は前記被検部位で反射された光を前記光検出器が測定することができるように設定され、
前記被検体への光入射位置と前記光検出器は移動可能に構成されていることを特徴とする請求項１に記載の測定装置。
【請求項３】
前記信号処理装置は、
前記光の伝播経路において隣接する２つの被測定領域の吸収特性と散乱特性のうち少なくとも一方が等しいと仮定し、
前記隣接する２つの被測定領域のうち前記光検出器側にある一方の測定結果に基づいて予想された前記隣接する２つの被測定領域のうち前記被検部位側にある他方の光強度と、前記他方の光強度の実測値との差を求め、
前記差に対応したズレ量により前記他方の吸収特性と散乱特性のうち少なくとも一方を修正することを特徴とする請求項１に記載の測定装置。
【請求項４】
前記信号処理装置が処理を開始する前に、前記測定部が測定した、被検部位と全ての被測定領域の光強度を格納するメモリを更に有することを特徴とする請求項１記載の測定装置。
【請求項５】
被検体内部の被検部位の吸収特性と散乱特性のうち少なくとも一方を光音響トモグラフィを利用して測定する測定装置において、
光入射位置から前記被検部位までの光の伝播経路上に前記被検部位とは別に設定された被測定領域の吸収特性と散乱特性のうち少なくとも一方を測定する測定部と、
前記測定部が測定した前記被検体の表層に最も近い最外周領域にある被測定領域の吸収特性と散乱特性のうち少なくとも一方を利用して、前記光の伝播経路上にある前記被測定領域及び被検部位の吸収特性と散乱特性のうち少なくとも一方を前記光入射位置から前記被検部位に向かって順次修正する信号処理装置と、を有することを特徴とする測定装置。
【請求項６】
前記測定装置は、前記被検部位からの超音波を検出する超音波検出器を更に有し、
前記信号処理装置は、前記被測定領域の吸収特性と散乱特性のうち少なくとも一方から前記被検部位における前記光の強度を算出し、前記超音波検出器が検出した前記超音波の音圧と前記算出された光強度から、前記被検部位における吸収特性と散乱特性のうち少なくとも一方を算出することを特徴とする請求項５に記載の測定装置。
【請求項７】
前記被測定領域は前記被検体の内部の全体に設定されることを特徴とする請求項１乃至６のうちいずれか一項に記載の測定装置。
【請求項８】
前記信号処理装置は、前記吸収特性と散乱特性のうち少なくとも一方若しくは当該吸収特性と散乱特性のうち少なくとも一方の吸収に寄与した構成要素の濃度及び成分比率を前記被検部位又は前記被測定領域の位置座標と対応づけることによって前記被検体の三次元的な断層像を形成し、
前記測定装置は、前記三次元的な断層像を表示する表示装置を更に有することを特徴とする請求項１乃至７のうちいずれか一項に記載の測定装置。
【手続補正２】
【補正対象書類名】明細書
【補正対象項目名】０００７
【補正方法】変更
【補正の内容】
【０００７】
本発明の一側面としての測定装置は、被検体内部の被検部位の吸収特性と散乱特性のうち少なくとも一方を音響光学トモグラフィを利用して測定する測定装置において、前記被検部位から検出位置までの光の伝播経路上に前記被検部位とは別に設定された被測定領域の光強度を測定する測定部と、前記測定部が測定した前記被検体の表層に最も近い最外周領域にある被測定領域の光強度を利用して、前記光の伝播経路上にある前記被測定領域及び前記被検部位の吸収特性と散乱特性のうち少なくとも一方を前記光検出器から前記被検部位に向かって順次修正する信号処理装置と、を有することを特徴とする。
【手続補正書】
【提出日】平成22年6月2日(2010.6.2)
【手続補正１】
【補正対象書類名】明細書
【補正対象項目名】００５５
【補正方法】変更
【補正の内容】
【００５５】
次に、第２の変形例について説明する。  
図１１は、第２の変形例の内径規制チューブ２１Ｃの部分断面図である。図１２（Ａ）は、内径規制チューブ２１Ｃの長軸に対して移行部２１ｃが角度θ１で形成されている内径規制チューブ２１Ｃの部分断面図である。これに対して、図１２（Ｂ）は、図１２（Ａ）の内径規制チューブ２１Ｃを軸方向に引っ張り、変形させた場合の部分断面図であり、内径規制チューブ２１Ｃの長軸に対して移行部２１ｃが角度θ２に変化している。ここで、角度θ２は角度θ１より小さい。また、図１３は、内径規制チューブ２１Ｃを、マルチルーメンチューブ３０の中央ルーメン３０ａ内に挿通後、湾曲させた状態の部分断面図である。
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
複数種類の図柄が付された可動表示体を複数有した図柄変動表示装置を備え、遊技媒体の投入と遊技者の始動操作とに応じて当該複数の可動表示体の回転が開始されたのち、遊技者の停止操作に応じて当該複数の可動表示体毎に所定個数分の図柄が１回のゲームの結果として図柄表示部内に停止表示される遊技機であって、
１回のゲームごとに、複数種の特典役、および、当該特典役以外の複数種の一般役、を少なくとも含む当選役に当選したか否かの内部抽選を行う内部抽選手段と、
前記可動表示体の回転を個々に停止させるべく個々の前記可動表示体について前記停止操作を受け付けることの可能な複数の停止操作部と、
前記複数の停止操作部にて停止操作が受けられると、前記停止操作の受け付けられた当該可動表示体ごとに前記内部抽選の結果に基づいて当該可動表示体の回転停止を各々制御する可動表示体停止制御手段と、
前記図柄表示部内にて前記複数の可動表示体の全てに跨って形成される図柄の組み合わせが、前記当選役に対応する図柄の組み合わせに該当するか否かを判定する表示図柄判定手段と、
前記表示図柄判定手段により前記有効表示位置に前記一般役に対応する図柄の組み合わせが表示されたと判定されたときに、当該一般役の種別に対応する遊技価値を、１回のゲーム毎に賞として付与する遊技価値付与手段と、
遊技の進行に応じて遊技状態を制御する遊技状態制御手段と、
前記内部抽選にて前記特典役としての第１特典役に当選すると、前記遊技価値としての遊技媒体が付与される機会が増加する第１特典遊技を特別特典として付与する第１特典遊技付与手段と、
前記内部抽選にて前記特典役としての第２特典役への当選を条件に、前記遊技価値としての再遊技が付与される機会が所定期間増加する第２特典遊技を特別特典として付与可能な第２特典遊技付与手段と、
所定の演出態様を表示可能な演出表示装置と、
前記演出表示装置における演出態様として、当該演出表示装置のほぼ全域を占める主演出を表示可能な演出制御手段と、を備え、
前記遊技状態制御手段は、
前記特別特典として前記第１特典遊技および前記第２特典遊技のいずれも選択的に付与しうる複特典状態に制御する複特典状態制御手段と、
前記特典役への当選確率が前記複特典当選有効状態と同じであるにも拘らず、前記第２特典役への当選に基づく前記第２特典遊技の付与を無効化することによって、特別特典として前記第１特典遊技のみを付与しうる単特典状態に制御する単特典状態制御手段と、を有し、
前記単特典状態制御手段は、
ゲームの実行に必要な遊技媒体の投入頻度が相対的に促進される第１単特典状態に制御する第１単特典状態制御手段と、
前記第１単特典状態よりもゲームの実行に必要な遊技媒体の投入頻度が抑制される第２単特典状態に、特定回数のゲームが行われる期間だけ制御する第２単特典状態制御手段と、を有しており、
当該遊技機では、
少なくとも前記第１単特典状態制御手段により制御される前記第１単特典状態にて、遊技の進行に応じて所定回数のゲームが行なわれると、前記複特典状態制御手段により当該遊技状態が前記複特典状態に制御されるとともに、
遊技状態が前記複特典状態に制御されているときに特定条件が成立すると、前記第２特典遊技付与手段により前記第２特典遊技が付与されるとともに、前記第２単特典状態制御手段により当該遊技状態が前記第２単特典状態に制御され、
前記演出制御手段は、
前記遊技の進行に応じて前記第１単特典状態から前記複特典状態に遊技状態が移行する度合いが高まることに伴って、少なくとも前記第２特典遊技が付与される期待度が各々異なることを示す複数のゲーム展開演出の何れかを、前記演出表示装置における前記主演出として選択的に表示可能なゲーム展開演出表示制御手段、を有するとともに、
当該ゲーム展開演出表示制御手段は、
遊技状態が前記第１単特典状態に制御されているときは、前記複数のゲーム展開演出のうちで、前記特定条件が成立しても前記第２特典遊技の付与が否定されることを示す単特典ゲーム展開演出を表示する一方、
遊技状態が前記複特典状態に制御されると、前記複数のゲーム展開演出のうちで、前記特定条件が成立すると前記第２特典遊技が必ず付与されることを示す複特典ゲーム展開演出を表示可能である
ことを特徴とする遊技機。
【請求項２】
前記ゲーム展開演出表示制御手段は、
前記演出表示装置に表示される前記ゲーム展開演出が示す前記第２特典遊技への期待度が遊技状態と略対応するように、前記ゲーム展開演出表示制御手段によって表示制御される当該ゲーム展開演出を所定タイミングで切り替えるゲーム展開演出切替手段、を有する
請求項１に記載の遊技機。
【請求項３】
前記演出制御手段は、
少なくとも前記内部抽選の結果に基づいて、１回のゲームで完結する単演出に代えて複数のゲームに亘って連続的に行なわれる連続演出を実行するか否かを決定する連続演出実行手段、を有するとともに、
前記ゲーム展開演出切替手段は、
前記連続演出実行手段により連続演出が行なわれた場合に、前記所定タイミングとして当該連続演出が行なわれたのち、前記演出表示装置に表示される前記ゲーム展開演出を切り替える
請求項２に記載の遊技機。
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
複数の図柄が付されると共に上下方向に回動可能な回動表示体が回動方向と交差する左右方向に三つ有する回動表示装置と、
前記図柄を表出しうる表示部が形成された縦長矩形状の前面遊技部を有する筐体と、
遊技媒体を投入して行われる１回のゲーム毎に、ボーナス役、当該ボーナス役を除く役としての複数の一般役およびハズレ役の中からいずれか一つ以上の役を選び出す内部抽選を行う抽選手段と、を備え、
前記三つの回動表示体の回動を開始させ、全ての前記回動表示体の停止操作が受け付けられると、前記内部抽選の結果が前記表示部に導出されうる遊技機であって、
前記筐体は、前記前面遊技部の上部にて左右方向に跨る縁部材と当該縁部材の両端側から下方に向かう一対の縁部材とで縁形成されると共に、当該前面遊技部の略上半部に形成される情報表示領域を有し、
前記情報表示領域は上端部に上端領域を有しており、当該上端領域には、前記複数の図柄のうち三つの図柄が前記回動表示体毎に表出される前記表示部としての小窓部が形成され、
前記情報表示領域のうち前記上端領域を除く略全域にて所定の演出画像が表示されるように配置される演出画像表示装置と、
前記演出画像表示装置に表示される所定の演出画像の表示を制御する演出画像表示制御手段と、
前記小窓部に表出される図柄のなかから前記回動表示体毎に一つずつの図柄が選び出されて構成される前記内部抽選の結果としての図柄組み合わせが導出されるラインを入賞ラインとし、
前記内部抽選の結果を、前記入賞ラインに位置する図柄組み合わせとして前記小窓部に導出する図柄組み合わせ導出手段と、
全ての前記回動表示体が停止状態となったときに、前記ボーナス役または前記複数の一般役のうちいずれかの一般役に対応する図柄組み合わせが前記入賞ラインに導出されたか否かを判定する図柄判定手段と、
前記図柄判定手段により前記一般役に対応する図柄組み合わせが前記入賞ラインに導出されたと判定されたときに、当該一般役の種別に対応する遊技価値を、１回のゲーム毎に賞として付与する遊技価値付与手段と、
前記図柄判定手段により前記ボーナス役に対応する図柄組み合わせが前記入賞ラインに導出されたと判定されたときに、遊技者に有利なボーナスゲームを実行するボーナスゲーム実行手段と、を備え、
前記図柄組み合わせ導出手段は、前記内部抽選の結果を、前記１回のゲーム毎に、前記入賞ラインに位置する図柄組み合わせとして前記小窓部に導出すると共に、
前記入賞ラインは、前記図柄組み合わせが導出されうる５つの直線ラインのうち互いに交わる２つの直線ラインと、当該２つの直線ラインに位置する図柄のなかから前記回動表示体毎に一つずつ選び出された図柄を前記三つの回動表示体に跨って結んだ屈曲ラインと、で構成されており、
前記演出画像表示制御手段は、前記内部抽選の結果に拘わらず前記所定の演出画像を前記演出画像表示装置に表示しうると共に、前記内部抽選にて前記ボーナス役が選び出された場合に限り必ず、前記内部抽選の結果に基づく特定の演出画像を、前記演出画像表示装置の略全域に表示されるように制御する
ことを特徴とする遊技機。
【請求項２】
前記２つの直線ラインは、前記左右方向に三列に並ぶ回動表示体のうち中央の回動表示体にて交差するラインであり、
前記図柄組み合わせ導出手段は、前記内部抽選にて前記ボーナス役および前記複数の一般役のうちいずれかの役が選び出された場合には、前記２つの直線ラインが交差する位置に、当該選び出された役に対応する図柄組み合わせを構成する図柄が導出されるように、前記左右方向における中央の回動表示体の停止を制御する
請求項１に記載の遊技機。
【請求項３】
前記左右方向に三列に並ぶ回動表示体のうち中央の回動表示体には、少なくとも前記複数の一般役のうち最も選び出される確率が高い一般役の図柄組み合わせを構成する図柄が、任意に選び出された回動方向に連続する三つの図柄のなかに必ず一つ以上付されており、
前記図柄組み合わせ導出手段は、
前記内部抽選にて前記ボーナス役および前記複数の一般役のうちいずれの役も選び出されなかった場合には、当該ボーナス役に対応する図柄組み合わせ、および、当該複数の一般役に対応する図柄組み合わせのいずれも前記有効ラインに導出することなく、
前記ボーナス役および前記複数の一般役のうちいずれかの役が選び出された場合には、当該選び出された役に対応する図柄組み合わせが、前記有効ラインに導出されるように、前記回動表示体の停止操作が受け付けられたときを起点として最大で三つの図柄まで引き込むように制御する
請求項２に記載の遊技機。
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
複数種類の図柄が付された可動表示体を複数有した図柄変動表示装置を備え、遊技媒体の投入と遊技者の始動操作とに応じて当該複数の可動表示体の回転が開始されたのち、遊技者の停止操作に応じて当該複数の可動表示体毎に所定個数分の図柄が１回のゲームの結果として図柄表示部内に停止表示される遊技機であって、
１回のゲームごとに、複数種の特典役、および、当該特典役以外の複数種の一般役、を少なくとも含む当選役に当選したか否かの内部抽選を行う内部抽選手段と、
前記可動表示体の回転を個々に停止させるべく個々の前記可動表示体について前記停止操作を受け付けることの可能な複数の停止操作部と、
前記複数の停止操作部にて停止操作が受けられると、前記停止操作の受け付けられた当該可動表示体ごとに前記内部抽選の結果に基づいて当該可動表示体の回転停止を各々制御する可動表示体停止制御手段と、
前記図柄表示部内にて前記複数の可動表示体の全てに跨って形成される図柄の組み合わせが、前記当選役に対応する図柄の組み合わせに該当するか否かを判定する表示図柄判定手段と、
前記表示図柄判定手段により前記一般役に対応する図柄の組み合わせが表示されたと判定されたときに、当該一般役の種別に対応する遊技価値を、１回のゲーム毎に賞として付与する遊技価値付与手段と、
前記内部抽選にて前記特典役としての特定特典役に当選すると、前記遊技価値としての遊技媒体が付与される機会が増加する第１特典遊技を特別特典として付与する第１特典遊技付与手段と、
前記遊技価値としての再遊技が付与される機会が所定期間増加する第２特典遊技を特別特典として付与する第２特典遊技付与手段と、
前記特別特典として前記第１特典遊技および前記第２特典遊技のいずれも選択的に付与しうるチャンス状態に制御するチャンス状態制御手段と、
前記特典役への抽選確率が前記チャンス状態と同じであるにも拘らず、前記特別特典として前記第１特典遊技のみを付与しうる通常状態に制御する通常状態制御手段と、
所定の演出態様を表示可能な演出表示装置と、
前記演出表示装置における演出態様として、当該演出表示装置のほぼ全域を占める主演出を表示可能な演出制御手段と、
を備え、
前記通常状態制御手段は、
ゲームの実行に必要な遊技媒体の投入頻度が相対的に促進される第１通常状態に制御する第１通常状態制御手段と、
前記第１通常状態よりもゲームの実行に必要な遊技媒体の投入頻度が抑制される第２通常状態に、特定回数のゲームが行われる期間だけ制御する第２通常状態制御手段と、を有しており、
当該遊技機では、
少なくとも前記第１通常状態制御手段により制御される前記第１通常状態にて、遊技の進行に応じて所定回数のゲームが行なわれると、前記チャンス状態制御手段により当該遊技状態が前記チャンス状態に制御されるとともに、
遊技状態が前記チャンス状態に制御されているときに特定条件が成立すると、前記第２特典遊技付与手段により前記第２特典遊技が付与されるとともに、前記第２通常状態制御手段により当該遊技状態が前記第２通常状態に制御され、
前記演出制御手段は、
前記遊技の進行に応じて前記第１通常状態から前記チャンス状態に遊技状態が移行する度合いが高まることに伴って、少なくとも前記第２特典遊技が付与される期待度が各々異なることを示す複数のゲーム展開演出の何れかを、前記演出表示装置における前記主演出として選択的に表示可能なゲーム展開演出表示制御手段、を有するとともに、
当該ゲーム展開演出表示制御手段は、
遊技状態が前記チャンス状態に制御されると、前記複数のゲーム展開演出のうちで、前記特定条件が成立すると前記第２特典遊技が必ず付与されることを示す特別ゲーム展開演出を表示可能である
ことを特徴とする遊技機。
【請求項２】
前記ゲーム展開演出表示制御手段は、
前記演出表示装置に表示される前記ゲーム展開演出が示す前記第２特典遊技への期待度が遊技状態と略対応するように、前記ゲーム展開演出表示制御手段によって表示制御される当該ゲーム展開演出を所定タイミングで切り替えるゲーム展開演出切替手段、を有する
請求項１に記載の遊技機。
【請求項３】
前記演出制御手段は、
少なくとも前記内部抽選の結果に基づいて、１回のゲームで完結する単演出に代えて複数のゲームに亘って連続的に行なわれる連続演出を実行するか否かを決定する連続演出実行手段、を有するとともに、
前記ゲーム展開演出切替手段は、
前記連続演出実行手段により連続演出が行なわれた場合に、前記所定タイミングとして当該連続演出が行なわれたのち、前記演出表示装置に表示される前記ゲーム展開演出を切り替える
請求項２に記載の遊技機。
【手続補正書】
【提出日】平成22年8月12日(2010.8.12)
【手続補正１】
【補正対象書類名】特許請求の範囲
【補正対象項目名】全文
【補正方法】変更
【補正の内容】
【特許請求の範囲】
【請求項１】
針糸を挿通し上下動する少なくとも１本の針と、該針を挟んで前進位置と後退位置との間を進退揺動し前記針糸と二重環縫目を形成するルーパ糸を挿通するルーパとを備えたミシンによる布地の縫製において、
縫製終了に際しルーパが前進位置にある状態で、ルーパの後退位置側に配置された受けメスよりフックを、該フックがルーパに捕捉されたループ状針糸からルーパに至るルーパ糸に係合する第１経路に沿って往動させ、これに続く該フックの復動により該ルーパ糸の該フックが係合する部分を受けメスにて切断すると共に該切断によって布地側に残ったルーパ糸をルーパに捕捉されたループ状針糸の輪内に留める第１ステップと、
フックの往復動後にフックの往復動経路を第１経路より第２経路に変更する第２ステップと、
布地側に残ったルーパ糸をルーパに捕捉されたループ状針糸の輪内に留めた状態で、１針分ミシンを駆動して再びルーパを前進位置に揺動させる第３ステップと、
第２ステップおよび第３ステップの後に、受けメスよりフックを、該フックがルーパに捕捉されたループ状針糸に進入係合すると共にルーパに捕捉されたループ状針糸からルーパに至るルーパ糸に係合する第２経路に沿って往動させ、これに続く該フックの復動により各糸の該フックが係合する部分を受けメスにて切断する第４ステップとを備えたことを特徴とする縫目ほつれ防止方法。
【請求項２】
針糸を挿通し上下動する少なくとも１本の針と、該針を挟んで前進位置と後退位置との間を進退揺動し前記針糸と二重環縫目を形成するルーパ糸を挿通するルーパとを備えたミシンにおいて、
ルーパの後退位置側に配置された受けメスと、先端部に糸捕捉用の鉤部を有し受けメスより往復動するフックを含む糸切断器と、
フックの往復動経路を第１経路あるいは第２経路に変更する経路変更手段とを具備し、
縫製終了に際しルーパが前進位置にある状態で、受けメスよりフックを第１経路に沿って往動させ、該フックがルーパに捕捉されたループ状針糸からルーパに至るルーパ糸に係合し、これに続く該フックの復動により該ルーパ糸の該フックが係合する部分を受けメスにて切断すると共に該切断によって布地側に残ったルーパ糸をルーパに捕捉されたループ状針糸の輪内に留め、フックの往復動後にフックの往復動経路を第１経路より第２経路に変更すると共に１針分ミシンを駆動して再びルーパを前進位置に揺動させ、受けメスよりフックを第２経路に沿って往動させ、該フックがルーパに捕捉されたループ状針糸に進入係合すると共にルーパに捕捉されたループ状針糸からルーパに至るルーパ糸に係合し、これに続く該フックの復動により各糸の該フックが係合する部分を受けメスにて切断するようにしたことを特徴とする縫目ほつれ防止装置。
【請求項３】
糸切断器が、
フックに固定され長手方向に沿って第１長孔および第２長孔を有する作動片と、
第１長孔および第２長孔に各別に挿通され作動片をスライド可能に支持する円状の支持部材と、
作動片を駆動する第１駆動部材を備え、
経路変更手段が、
第１長孔あるいは第２長孔の一方に形成され長手方向に沿って対向する第１経路用の第１案内面および第２経路用の第２案内面と、
作動片に連結され第１案内面あるいは第２案内面を支持部材に係合させる第２駆動部材とを備える請求項２記載の縫目ほつれ防止装置。
【手続補正２】
【補正対象書類名】明細書
【補正対象項目名】０００５
【補正方法】変更
【補正の内容】
【０００５】
本発明は、上記目的を達成するために、針糸を挿通し上下動する少なくとも１本の針と、該針を挟んで前進位置と後退位置との間を進退揺動し前記針糸と二重環縫目を形成するルーパ糸を挿通するルーパとを備えたミシンにおいて、
ルーパの後退位置側に配置された受けメスと、先端部に糸捕捉用の鉤部を有し受けメスより往復動するフックを含む糸切断器と、フックの往復動経路を第１経路あるいは第２経路に変更する経路変更手段とを具備し、縫製終了に際しルーパが前進位置にある状態で、受けメスよりフックを第１経路に沿って往動させ、該フックがルーパに捕捉されたループ状針糸からルーパに至るルーパ糸に係合し、これに続く該フックの復動により該ルーパ糸の該フックが係合する部分を受けメスにて切断すると共に該切断によって布地側に残ったルーパ糸をルーパに捕捉されたループ状針糸の輪内に留め、フックの往復動後にフックの往復動経路を第１経路より第２経路に変更すると共に１針分ミシンを駆動して再びルーパを前進位置に揺動させ、受けメスよりフックを第２経路に沿って往動させ、該フックがルーパに捕捉されたループ状針糸に進入係合すると共にルーパに捕捉されたループ状針糸からルーパに至るルーパ糸に係合し、これに続く該フックの復動により各糸の該フックが係合する部分を受けメスにて切断するようにしたことを特徴とする。
【手続補正３】
【補正対象書類名】明細書
【補正対象項目名】０００７
【補正方法】変更
【補正の内容】
【０００７】
本発明によれば、縫製終了に際しルーパが前進位置にある状態で受けメスよりフックを第１経路に沿って往復動させて該ルーパ糸の該フックが係合する部分を受けメスにて切断すると共に該切断によって布地側に残ったルーパ糸をルーパに捕捉されたループ状針糸の輪内に留めるようにしたので、該ルーパ糸を引っ張っても縫目がほつれることはない。またフックを第１経路に沿って往復動させてから１針分ミシンを駆動させると共にフックの往復動後にフックの往復動経路を第１経路より第２経路に変更し、その後、受けメスよりフックを第２経路に沿って往復動させてルーパに捕捉されたループ状針糸およびループ状針糸からルーパに至るルーパ糸を受けメスにて切断するので、フックを点在させなくてもルーパに捕捉されたループ状針糸およびループ状針糸からルーパに至るルーパ糸を切断することができる。
【手続補正４】
【補正対象書類名】明細書
【補正対象項目名】００１２
【補正方法】変更
【補正の内容】
【００１２】
作動片２７の第２長孔３０には長手方向に沿って対向する第１案内面３０ａ及び第２案内面３０ｂを備えている。第１案内面３０ａは三方向に連続して延びるカム面より構成されるとともに第２案内面３０ｂは二方向に連続して延びるカム面より構成され、これにより両案内面３０ａ，３０ｂの間隔は中途で幅広となっている。また作動片２７の基端部には線細工バネ３８の一端がネジ３９によって固定されている。線細工バネ３８の他端は第２エアシリンダ４０のピストンロッド４０ａに固定された長角材４１に固定されている。第２エアシリンダ４０のピストンロッド４０ａが進退すると、第２長孔３０の第１案内面３０ａあるいは第２案内面３０ｂがネジ３３によって支持されたカラー３４に係合することとなる。
【手続補正書】
【提出日】平成22年3月8日(2010.3.8)
【手続補正１】
【補正対象書類名】明細書
【補正対象項目名】００７４
【補正方法】変更
【補正の内容】
【００７４】
例えば、圧力検出部４２が、水平方向（ｘ）にｍ個（ｘ＝０，１，２，・・・，ｍ−１）、垂直方向（ｙ）にｎ個（ｙ＝０，１，２，・・・，ｎ−１）のｍ×ｎ個（図５の実施の形態の場合は、図の縦を水平方向とみて、ｍ＝２１，ｎ＝８）のセンサエレメント５２で構成されているとすると、接触検出部１２１は、それぞれのセンサエレメント５２の出力（すなわち、圧力値）Ｐ（ｘ，ｙ）がある閾値ｔｈ（ｘ，ｙ）を超えた場合、すなわち、次の式（１）を満たした場合、そのセンサエレメント５２が、入力部３１（変形部４１）への物体の接触を検出したとする。なお閾値ｔｈ（ｘ，ｙ）は、全てのセンサエレメント５２に対して同じ値であってもよい。
【手続補正２】
【補正対象書類名】明細書
【補正対象項目名】０１８６
【補正方法】変更
【補正の内容】
【０１８６】
滑り検出値に基づいて、物体の把持力を設定する指令値を、物体を静止する必要最小限度の大きさにする抑制値を演算する抑制値演算手段としての抑制値演算部４６０は、圧力センサ４５７からの滑り検出値Ｓｄｘi（ｔ）,Ｓｄｙi（ｔ）、法線力演算部４６１からの法線力ｆi（ｔ）、並びに変化値演算部４６２からの変化値ｃｈｇFy（ｔ）の出力に基づいて抑制値ｓｐFy（ｔ）を演算し、加算部４５２に出力する。変化値演算部４６２は、圧力センサ４５７からの滑り検出値Ｓｄｘi（ｔ）,Ｓｄｙi（ｔ）、法線力演算部４６１からの法線力ｆi（ｔ）、並びに滑り指令生成部４６３からの指令に基づいて変化値ｃｈｇFy（ｔ）を演算し、加算部４５１と抑制値演算部４６０に出力する。
【手続補正３】
【補正対象書類名】明細書
【補正対象項目名】０２８２
【補正方法】変更
【補正の内容】
【０２８２】
コンピュータにインストールされ、コンピュータによって実行可能な状態とされるプログラムを格納するプログラム記録媒体は、図３２に示すように、磁気ディスク（フレキシブルディスクを含む）、光ディスク（ＣＤ−ＲＯＭ(Compact Disc-Read Only Memory),ＤＶＤ(Digital Versatile Disc)を含む）、光磁気ディスク、もしくは半導体メモリなどよりなるパッケージメディアであるリムーバブルメディア６２１、または、プログラムが一時的もしくは永続的に格納されるＲＯＭ６２２や、記憶部６２８を構成するハードディスクなどにより構成される。プログラム記録媒体へのプログラムの格納は、必要に応じてルータ、モデムなどのインタフェースである通信部６２９を介して、ローカルエリアネットワーク、インターネット、デジタル衛星放送といった、有線または無線の通信媒体を利用して行われる。
【手続補正書】
【提出日】平成22年9月7日(2010.9.7)
【手続補正１】
【補正対象書類名】特許請求の範囲
【補正対象項目名】全文
【補正方法】変更
【補正の内容】
【特許請求の範囲】
【請求項１】
液体収容体内の液体が液量検出器を介して液体供給口から外部に供給される構成を備える液体容器の製造方法であって、
液体貯蔵体と前記液体供給口とを接続し、
前記液体供給口および前記液量検出器を介して、前記液体容器に収容され、前記液量検出器と接続されている前記液体収容体に対して液体を充填し、
前記液体貯蔵体と前記液体供給口との接続を解除すること
を特徴とする液体容器の製造方法。
【請求項２】
請求項１に記載の液体容器の製造方法において、
前記液体収容体に対する液体の充填は加圧充填であることを特徴とする液体容器の製造方法。
【請求項３】
請求項２に記載の液体容器の製造方法において、
前記液体貯蔵体は、所定の圧力で液体を供給可能な加圧供給器を備え、
前記加圧充填は、前記加圧供給器を用いて実行されることを特徴とする液体容器の製造方法。
【請求項４】
請求項２に記載の液体容器の製造方法において、
前記液体貯蔵体は、前記液体容器よりも高い位置に配置され、
前記加圧充填は、前記液体貯蔵体と前記液体容器との水頭差を用いて実行されることを特徴とする液体容器の製造方法。
【請求項５】
請求項２から４のいずれかに記載の液体容器の製造方法において、
前記液量検出器は、前記液体供給口と前記液体収容体とを連通する第１の流路と、付勢部材により所定の付勢力によって閉塞される第２の流路とを有し、
前記加圧充填は、前記付勢力以下の圧力によって実行されることを特徴とする液体容器の製造方法。
【請求項６】
請求項２から４のいずれかに記載の液体容器の製造方法において、
前記液量検出器は、前記液体供給口と前記液体収容体とを連通する第１の流路と、付勢部材により所定の付勢力によって閉塞される第２の流路とを有し、
前記加圧充填は、前記付勢力より高い圧力によって実行されることを特徴とする液体容器の製造方法。
【請求項７】
請求項１から６のいずれかに記載の液体容器の製造方法はさらに、
液体が充填された前記液体容器の前記液体供給口から、充填された液体の一部を排出させる工程を含むことを特徴とする液体容器の製造方法。
【請求項８】
請求項１から７のいずれかに記載の液体容器の製造方法において、
前記液体収容体は、外部からの操作によって作用する逆止弁部を備え、
前記液体充填方法はさらに、液体が充填された後に前記液体収容体の前記逆止弁部を作用させる工程を含むことを特徴とする液体容器の製造方法。
【請求項９】
請求項１から７のいずれかに記載の液体容器の製造方法において、
前記液体容器は、使用された液体容器であり、
前記液体収容体に対する液体の充填は、再充填であることを特徴とする液体容器の製造方法。
【請求項１０】
液体容器の製造方法であって、
液量検出器を介して連通される液体収容体内と液体供給口とを備える液体容器を準備し、
前記液体供給口および前記液量検出器を介して、前記液体容器に収容され、前記液量検出器と接続されている前記液体収容体に対して液体を充填すること、
を特徴とする液体容器の製造方法。
【請求項１１】
請求項１０に記載の製造方法において、
前記液体収容体は、外部からの操作によって作用する逆止弁部を備え、
前記製造方法はさらに、液体が充填された後に前記液体収容体の前記逆止弁部を作用させることを特徴とする液体容器の製造方法。
【手続補正２】
【補正対象書類名】明細書
【補正対象項目名】発明の名称
【補正方法】変更
【補正の内容】
【発明の名称】液体容器の製造方法
【手続補正３】
【補正対象書類名】明細書
【補正対象項目名】０００８
【補正方法】変更
【補正の内容】
【０００８】
本発明の第１の態様は、液体収容体内の液体が液量検出器を介して液体供給口から外部に供給される構成を備える液体容器に対する液体容器の製造方法を提供する。本発明の第１の態様は、液体貯蔵体と前記液体供給口とを接続し、前記液体供給口および前記液量検出器を介して、前記液体容器に収容され、前記液量検出器と接続されている前記液体収容体に対して液体を充填し、前記液体貯蔵体と前記液体供給口との接続を解除することを備える。
【手続補正４】
【補正対象書類名】明細書
【補正対象項目名】００１５
【補正方法】変更
【補正の内容】
【００１５】
本発明の第１の態様において、前記液体収容体は、外部からの操作によって作用する逆止弁部を備え、前記液体容器の製造方法はさらに、液体が充填された後に前記液体収容体の前記逆止弁部を作用させても良い。この場合には、液体収容体が逆止弁部を有していても、円滑に液体を充填することができる。
【手続補正書】
【提出日】平成22年6月8日(2010.6.8)
【手続補正１】
【補正対象書類名】明細書
【補正対象項目名】００２２
【補正方法】変更
【補正の内容】
【００２２】
図３に基づき上記固定砥粒ワイヤーソー１の製造方法について説明する。まず、図中左方向から供給された芯線２は、図示しない酸洗浄、アルカリ洗浄、水洗浄工程を通過して、陰極ｒに接続した金属製陰極電極に接触給電させ、接着材塗布装置６により該芯線２の外周面上に多数の点状接着材をほぼ均等に付着させて上記接着部５を形成する。続いて、砥粒吹付装置７において、上記点状の接着部５に、上記導電性被覆３ａが表面に施された砥粒３を単粒状態で付着させて仮固着させる。そのとき、該砥粒３は接着部５に単粒にしか付着しないため余分な砥粒が芯線２に付着することがない。
【手続補正２】
【補正対象書類名】明細書
【補正対象項目名】００２４
【補正方法】変更
【補正の内容】
【００２４】
続いて、砥粒３が第１メッキ層４ａにより固着された芯線２は、陰極ｒ、酸処理槽９を通過し次の第二電解メッキ槽１０中へと導かれる。そうすることで上記芯線２の第１メッキ層４ａの表面全体にメッキが析出して第２メッキ層４ｂが形成され、その結果、上記砥粒３がその表面全体を２層のメッキ層４ａ，４ｂから成る金属メッキ４により覆われた状態となり、芯線２に対して更に強固に固着される。ここで、上記酸処理槽９は、第１メッキ層４ａと第２メッキ層４ｂとの密着性を向上させるためのもので、該酸処理槽９で用いる液体としては、塩化ニッケル、塩酸等からなる混合液体が挙げられるが、特にそれに限定されるものではない。また、本実施形態においては、第二電解メッキ槽１０中の電解メッキ液は、第一電解メッキ槽８中のものと基本的には同様の組成から成るが、上記第１メッキ層４ａの硬度よりも第２メッキ層４ｂの硬度が小さくなるように調整するため、両メッキ槽８，１０において、電流密度、温度、添加剤の量等を異ならせると共に、加工対象となるワークの硬度をも考慮して最適なメッキ処理条件を選択する。なお、両メッキ槽８，１０において、電解メッキ液の組成そのものを異ならせても良いのはもちろんであるが、同じ金属を含んでいる方が、両メッキ層４ａ，４ｂ間の濡れ性が向上し結合力が増すため望ましい。
【手続補正書】
【提出日】平成22年8月27日(2010.8.27)
【手続補正１】
【補正対象書類名】明細書
【補正対象項目名】００３６
【補正方法】変更
【補正の内容】
【００３６】
取付フレーム１５には、さらにカッターホイール１８が、上下移動調節機構１７を介して取り付けられている。このカッターホイール１８は、焼結ダイヤモンドまたは超硬合金を材料とし、外周面に頂点を刃先とするＶ字形の稜線部を備えたものであって、ガラス基板Ｇへの圧接力が上下移動調節機構１７によって微細に調整できるようになっている。カッターホイール１８は、専ら、ガラス基板Ｇの端縁に初期亀裂ＴＲ（図２）を形成するときに、台座７をＸ方向に移動させつつ一時的に下降させるようにして用いる。
【手続補正書】
【提出日】平成22年9月13日(2010.9.13)
【手続補正１】
【補正対象書類名】特許請求の範囲
【補正対象項目名】全文
【補正方法】変更
【補正の内容】
【特許請求の範囲】
【請求項１】
基板にペーストを塗布するペースト塗布装置であって、
前記基板を搭載する基板ステージ、及び、前記基板ステージに搭載された基板に向けてペーストを吐出するノズルを有する本体と、
前記ノズルの保守を行うための保守部材と、
前記保守部材を収容する収容部と、
前記本体に取り付けられた前記保守部材を取り外して前記収容部に収容すること、及び、前記収容部に収容された前記保守部材を取り出して前記本体に取り付けることの少なくともいずれかを行う着脱装置と、
前記収容部及び前記着脱装置の動作を制御する制御手段とを有することを特徴とするペースト塗布装置。
【請求項２】
前記収容部は、前記保守部材を搭載する複数の載置部を備えてなり、
前記制御手段は、前記載置部の使用状況、及び、該載置部に搭載された前記保守部材の使用状況の情報に基づいて、前記収容部の動作を制御することを特徴とする請求項１に記載のペースト塗布装置。
【請求項３】
前記制御手段は、前記保守部材を交換すべき予め定められた条件を満たした場合に、前記動作を制御することを特徴とする請求項１又は２に記載のペースト塗布装置。
【請求項４】
前記保守部材は、
前記ペーストを廃棄するためのカップと、
前記ノズルの先端に付着したペーストを拭き取るための清掃部材と、
試験的なペーストの塗布を行うための基板とを備えてなることを特徴とする請求項１乃至３のいずれかに記載のペースト塗布装置。
【請求項５】
前記着脱装置は、前記基板ステージに設けられるとともに、前記保守部材の所定部位に嵌合する嵌合部材を有することを特徴とする請求項１乃至４のいずれかに記載のペースト塗布装置。
【手続補正２】
【補正対象書類名】明細書
【補正対象項目名】発明の名称
【補正方法】変更
【補正の内容】
【発明の名称】ペースト塗布装置
【手続補正３】
【補正対象書類名】明細書
【補正対象項目名】０００１
【補正方法】変更
【補正の内容】
【０００１】
本発明は、基板にペーストを塗布するペースト塗布装置に関する。
【手続補正４】
【補正対象書類名】明細書
【補正対象項目名】０００５
【補正方法】変更
【補正の内容】
【０００５】
本発明は、このような事情に鑑みてなされたもので、保守部材の取り付け、取り外しの際の迅速性及び信頼性の向上と、清浄度の維持を図ったペースト塗布装置を提供するものである。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正書】
【提出日】平成22年9月3日(2010.9.3)
【手続補正１】
【補正対象書類名】特許請求の範囲
【補正対象項目名】請求項１
【補正方法】変更
【補正の内容】
【請求項１】
反応物の反応を起こす反応器を備える反応装置において、
前記反応器は、
下方が開口した箱体と、
前記箱体の開口を塞ぐ底板と、
前記底板によって前記箱体の開口を塞いで形成される空間内に反応原料を導入する導入口と、
前記空間内に導入された反応原料が反応した後、反応後の生成物を前記反応器の外に排出する排出口と、
前記箱体内に収容されて前記底板上に立設された複数の棒材と、を備えることを特徴とする反応装置。
【手続補正２】
【補正対象書類名】明細書
【補正対象項目名】０００６
【補正方法】変更
【補正の内容】
【０００６】
上記課題を解決するため、請求項１の発明は、反応物の反応を起こす反応器を備える反応装置において、
前記反応器は、
下方が開口した箱体と、
前記箱体の開口を塞ぐ底板と、
前記底板によって前記箱体の開口を塞いで形成される空間内に反応原料を導入する導入口と、前記空間内に導入された反応原料が反応した後、反応後の生成物を前記反応器の外に排出する排出口と、
前記箱体内に収容されて前記底板上に立設された複数の棒材と、を備えることを特徴とする。
【手続補正書】
【提出日】平成22年8月11日(2010.8.11)
【手続補正１】
【補正対象書類名】特許請求の範囲
【補正対象項目名】全文
【補正方法】変更
【補正の内容】
【特許請求の範囲】
【請求項１】
微生物と共に生ゴミ内に空気を噴射しながら攪拌・混合する発酵処理槽（９）と、前記発酵処理槽（９）からの排出臭気をダクト（５）により水中に導入して脱臭する第１処理槽（２７）と、前記第１処理槽（２７）からの排出臭気を連通通路（３１）により導入して内部に設けた脱臭剤（５１）を通過させて脱臭し排出する第２処理槽（３９）とからなる生ごみ発酵処理装置において、
前記発酵処理槽（９）は、生ゴミの投入口（６）に開閉蓋７を備えた円筒状の発酵処理槽（９）内に、前記発酵処理槽（９）の中央部に回転動力が与えられる竪型回転シャフト（１３）と、前記発酵処理槽（９）内の中間位置に水平配置され一端が前記処理槽周壁（１５）に、他端が前記竪型回転シャフト（１３）にそれぞれ両端が支持された固定羽根（１７）を設け、固定羽根（１７）の上方と下方に一端のみ前記竪型の回転シャフト（１３）に片支持の状態で装着して水平配置されて回転シャフト（１３）と一緒に水平旋回する上位側攪拌羽根（１９）と下位側攪拌羽根（２１）とを備え、前記固定羽根（１７）、上位側攪拌羽根（１９）、下位側攪拌羽根（２１）には、前記処理槽９内の生ごみに向かって空気を噴射する空気噴射管（２５）をそれぞれ有し、
前記第１処理槽（２７）と前記第２処理槽（３９）との前記連通通路（３１）には、送風ファン（３３）を設け、
前記第１処理槽（２７）は、水面のレベルを一定に維持し、前記ダクト（５）を前記水面の中央部直上方から水中に浸漬してダクト（５）の臭気取入口（３７）を水面より下方に位置させ、前記水面の上方部には前記水面の波立ちを抑える波立ち制止板（Ｗ−１）を設けるとともに前記波立ち制止板（Ｗ−１）の上方に前記連絡通路（３１）と連通する排気口（３９）を設け、
たことを特徴とする生ごみ発酵処理装置。
【手続補正２】
【補正対象書類名】明細書
【補正対象項目名】００１０
【補正方法】変更
【補正の内容】
【００１０】  前記目的を達成するための本発明の特徴とするところは図１〜図５に示す実施例のように次の（１）の通りである。
（１）、微生物と共に生ゴミ内に空気を噴射しながら攪拌・混合する発酵処理槽（９）と、前記発酵処理槽（９）からの排出臭気をダクト（５）により水中に導入して脱臭する第１処理槽（２７）と、前記第１処理槽（２７）からの排出臭気を連通通路（３１）により導入して内部に設けた脱臭剤（５１）を通過させて脱臭し排出する第２処理槽（３９）とからなる生ごみ発酵処理装置において、
前記発酵処理槽（９）は、生ゴミの投入口（６）に開閉蓋７を備えた円筒状の発酵処理槽（９）内に、前記発酵処理槽（９）の中央部に回転動力が与えられる竪型回転シャフト（１３）と、前記発酵処理槽（９）内の中間位置に水平配置され一端が前記処理槽周壁（１５）に、他端が前記竪型回転シャフト（１３）にそれぞれ両端が支持された固定羽根（１７）を設け、固定羽根（１７）の上方と下方に一端のみ前記竪型の回転シャフト（１３）に片支持の状態で装着して水平配置されて回転シャフト（１３）と一緒に水平旋回する上位側攪拌羽根（１９）と下位側攪拌羽根（２１）とを備え、前記固定羽根（１７）、上位側攪拌羽根（１９）、下位側攪拌羽根（２１）には、前記処理槽９内の生ごみに向かって空気を噴射する空気噴射管（２５）をそれぞれ有し、
前記第１処理槽（２７）と前記第２処理槽（３９）との前記連通通路（３１）には、送風ファン（３３）を設け、
前記第１処理槽（２７）は、水面のレベルを一定に維持し、前記ダクト（５）を前記水面の中央部直上方から水中に浸漬してダクト（５）の臭気取入口（３７）を水面より下方に位置させ、前記水面の上方部には前記水面の波立ちを抑える波立ち制止板（Ｗ−１）を設けるとともに前記波立ち制止板（Ｗ−１）の上方に前記連絡通路（３１）と連通する排気口（３９）を設け、
たことを特徴とする生ごみ発酵処理装置。
【手続補正３】
【補正対象書類名】明細書
【補正対象項目名】００１１
【補正方法】変更
【補正の内容】
【００１１】  本発明は上記の特徴構成を図１〜図５に示す実施例のように、生ごみ中に空気を吹き込みんで撹拌発酵させる発酵処理槽９内から多量に発生したアンモニアを始めとして発酵腐食の要因となる硫化水素等の臭気は、前記第１処理槽２７の水と第２処理槽３９の脱臭剤５１により二段階で吸収除去する。
そして前記第１処理槽２７と第２処理槽３９をつなぐ連絡通路３１に送風ファン３３を配置したため、発酵処理槽９内で発生した多量の臭気は前記ダクト５の出口から必ず第１処理槽２７の中央部の水中に導入して水中を通過させた後に送風ファンを３３介して第２処理槽３９に導かれる。この結果、第１処理槽２７の水中を臭気が通過する時に臭気中に含まれるアンモニアや硫化水素等を積極的に水と接触させて吸収除去して、送風ファンの腐食劣化を防止することができる。
【手続補正書】
【提出日】平成22年8月18日(2010.8.18)
【手続補正１】
【補正対象書類名】特許請求の範囲
【補正対象項目名】全文
【補正方法】変更
【補正の内容】
【特許請求の範囲】
【請求項１】
塗布ヘッドのノズル端にキャップを装着し、塗布に用いられるインクを収納したインク収納部が前記塗布ヘッドより上方に位置する状態で当該インク収納部内を負圧状態から大気開放し、前記塗布ヘッドの先端と前記キャップとの間に間隙を設けて当該間隙にインクを染み出させ、前記キャップを離脱させた後、前記インク収納部を減圧することを特徴とするインクジェット式塗布装置の吐出準備方法。
【請求項２】
前記キャップを離脱させた場合に、前記塗布ヘッドのノズル端に形成されるインク溜まりを払拭する工程をさらに含むことを特徴とする請求項１記載のインクジェット式塗布装置の吐出準備方法。
【請求項３】
前記塗布ヘッドを、そのノズル端が同一平面上に位置するように複数個列設して構成している場合に、各塗布ヘッドのノズル端を同時に密閉する１個のキャップを用いることを特徴とする請求項１または請求項２記載のインクジェット式塗布装置の吐出準備方法。
【手続補正２】
【補正対象書類名】明細書
【補正対象項目名】０００９
【補正方法】変更
【補正の内容】
【０００９】
上記課題を解決するために、本発明のインクジェット式塗布装置の吐出準備方法は、塗布ヘッドのノズル端にキャップを装着し、塗布に用いられるインクを収納したインク収納部が塗布ヘッドより上方に位置する状態で当該インク収納部内を負圧状態から大気開放し、塗布ヘッドの先端とキャップとの間に間隙を設けて当該間隙にインクを染み出させ、前記キャップを離脱させた後、前記インク収納部を減圧することを特徴とする。
【手続補正３】
【補正対象書類名】明細書
【補正対象項目名】００１０
【補正方法】変更
【補正の内容】
【００１０】
本発明によれば、インク収納部を負圧状態から大気解放すると、当該インク収納部より下方に位置する塗布ヘッドに向かってインクがその自重で押し出されていく。そして、塗布ヘッドとキャップとの間に間隙を形成すると、塗布ヘッドのノズル端からインクが緩やかに染み出して広がる。次に、キャップを離脱させると、塗布ヘッドのノズル端には少量のインク溜まりが形成され、その後、前記インク収納部を再度減圧する。このとき、塗布ヘッド内のインクがインク収納部方向に再度引き込まれてメニスカスが形成（再生）される。
【手続補正４】
【補正対象書類名】明細書
【補正対象項目名】００１１
【補正方法】変更
【補正の内容】
【００１１】
このように本発明においては、インクタンク内を加圧して塗布ヘッドから強制的にインクを押し出すのではなく、インクの自重で緩やかにインクを押し出し、上記間隙にインク染み出されるようにしたため、インクが無駄に消費されることが防止される。その際に、塗布ヘッドに通じるインク通路に発生または混入した気泡や異物も、自重が作用しているインクによりノズル端から排出され易くなり、塗布ヘッドが吐出不良状態となることを抑制できる。
【手続補正５】
【補正対象書類名】明細書
【補正対象項目名】００１２
【補正方法】変更
【補正の内容】
【００１２】
尚、前記キャップを離脱させた場合に、塗布ヘッドのノズル端に形成されるインク溜まりを払拭する工程をさらに含むことが好ましい。この場合、上記キャップの離脱後に塗布ヘッドのノズル端に残るインク溜まりは少量であるため、ノズル周辺のインクを払拭する作業性が良い。